(57)【要約】【課題】電力管理装置の設定を簡略化する。【解決手段】電力管理装置２００及び情報端末１００を備える電力管理システム１０において電力管理装置２００の設定値を設定するための本発明に係る設定方法は、情報端末１００が、電力管理装置２００の様々な設定条件に対応する複数の設定情報の各々に関連づけられた複数のコードのうちから、電力管理装置２００の現在の設定条件に適合するコードを取得するコード取得ステップと、コード取得ステップにより取得したコードに関連付けられた設定情報を取得する設定情報取得ステップと、設定情報取得ステップにより取得した設定情報を電力管理装置２００に送信する送信ステップと、電力管理装置２００が、情報端末２００から受信した設定情報に基づいて電力管理装置２００の設定を行うステップとを含む。【選択図】図２
2016010211.tif 000002
【特許請求の範囲】
【請求項１】
電力管理装置及び情報端末を備える電力管理システムにおいて電力管理装置の設定値を設定するための設定方法であって、
前記情報端末が、
前記電力管理装置の様々な設定条件に対応する複数の設定情報の各々に関連づけられた複数のコードのうちから、前記電力管理装置の現在の設定条件に適合するコードを取得するコード取得ステップと、
前記コード取得ステップにより取得したコードに関連付けられた設定情報を取得する設定情報取得ステップと、
前記設定情報取得ステップにより取得した設定情報を前記電力管理装置に送信する送信ステップと、
前記電力管理装置が、前記情報端末から受信した設定情報に基づいて当該電力管理装置の設定を行う設定ステップとを含む設定方法。
【請求項２】
請求項１に記載の設定方法において、前記設定情報取得ステップは、前記コード取得ステップにより取得したコードに含まれるデータを用いて、外部サーバから当該コードに関連付けられた設定情報を取得する外部取得ステップを含むことを特徴とする設定方法。
【請求項３】
請求項１又は２に記載の設定方法において、
前記コードは画像情報であり、
前記コード取得ステップには、前記情報端末が有するカメラによって画像取得を行う画像取得ステップを含むことを特徴とする設定方法。
【請求項４】
請求項２に記載の設定方法において、前記情報端末は、定期的に前記外部取得ステップを実行することを特徴とする設定方法。
【請求項５】
請求項１から４のいずれか一項に記載の設定方法において、前記複数の設定情報は、ネットワーク情報及び各種機器の接続の有無の情報を含むことを特徴とする設定方法。
【請求項６】
電力管理装置との間でデータを送受信する通信部と、
前記電力管理装置の様々な設定条件に対応する複数の設定情報の各々に関連づけられた複数のコードのうちから、前記電力管理装置の現在の設定条件に適合するコードを取得する取得部と、
前記取得部が取得したコードに関連付けられた設定情報を取得し、前記通信部を介して、当該設定情報を前記電力管理装置に送信する制御部とを備える情報端末。
【請求項７】
電力管理装置及び情報端末を備える電力管理システムであって、
前記情報端末は、
前記電力管理装置との間でデータを送受信する通信部と、
前記電力管理装置の様々な設定条件に対応する複数の設定情報の各々に関連づけられた複数のコードのうちから、前記電力管理装置の現在の設定条件に適合するコードを取得する取得部と、
前記取得部が取得したコードに関連付けられた設定情報を取得し、前記通信部を介して、当該設定情報を前記電力管理装置に送信する制御部とを備え、
前記電力管理装置は、前記情報端末から受信した設定情報に基づいて当該電力管理装置の設定を行う電力管理システム。
【発明の詳細な説明】
【技術分野】
【０００１】
本発明は、電力管理装置の設定方法、情報端末及び電力管理システムに関するものである。
【背景技術】
【０００２】
近年、電力需要家ごとに電力管理装置（例えば、ＨＥＭＳ：Ｈｏｍｅ  Ｅｎｅｒｇｙ  Ｍａｎａｇｅｍｅｎｔ  Ｓｙｓｔｅｍ）を設置し、負荷機器や分散電源などを制御する技術が普及してきている（例えば、特許文献１参照）。
【先行技術文献】
【特許文献】
【０００３】
【特許文献１】特開２００３−３０９９２８号公報
【発明の概要】
【発明が解決しようとする課題】
【０００４】
電力管理装置が効率良く負荷機器や分散電源を制御するためには、多種多様のデータを収集できることが好ましい。このためには、通常、電力管理装置に多種多様な機器を接続する必要があるが、この場合、電力管理装置の設定が複雑化する傾向があった。
【０００５】
かかる点に鑑みてなされた本発明の目的は、電力管理装置の設定を簡略化することができる電力管理装置の設定方法、情報端末及び電力管理システムを提供することにある。
【課題を解決するための手段】
【０００６】
上記課題を解決するため、本発明に係る電力管理装置の設定方法は、電力管理装置及び情報端末を備える電力管理システムにおいて電力管理装置の設定値を設定するための設定方法であって、前記情報端末が、前記電力管理装置の様々な設定条件に対応する複数の設定情報の各々に関連づけられた複数のコードのうちから、前記電力管理装置の現在の設定条件に適合するコードを取得するコード取得ステップと、前記コード取得ステップにより取得したコードに関連付けられた設定情報を取得する設定情報取得ステップと、前記設定情報取得ステップにより取得した設定情報を前記電力管理装置に送信する送信ステップと、前記電力管理装置が、前記情報端末から受信した設定情報に基づいて当該電力管理装置の設定を行う設定ステップとを含むものである。
【０００７】
また、本発明に係る電力管理装置の設定方法において、前記設定情報取得ステップは、前記コード取得ステップにより取得したコードに含まれるデータを用いて、外部サーバから当該コードに関連付けられた設定情報を取得する外部取得ステップを含むことが好ましい。
【０００８】
また、本発明に係る電力管理装置の設定方法において、前記コードは画像情報であり、前記コード取得ステップには、前記情報端末が有するカメラによって画像取得を行う画像取得ステップを含むことが好ましい。
【０００９】
また、本発明に係る電力管理装置の設定方法において、前記情報端末は、定期的に前記外部取得ステップを実行することが好ましい。
【００１０】
また、本発明に係る電力管理装置の設定方法において、前記複数の設定情報は、ネットワーク情報及び各種機器の接続の有無の情報を含むことが好ましい。
【００１１】
また、上記課題を解決するため、本発明に係る情報端末は、電力管理装置との間でデータを送受信する通信部と、前記電力管理装置の様々な設定条件に対応する複数の設定情報の各々に関連づけられた複数のコードのうちから、前記電力管理装置の現在の設定条件に適合するコードを取得する取得部と、前記取得部が取得したコードに関連付けられた設定情報を取得し、前記通信部を介して、当該設定情報を前記電力管理装置に送信する制御部とを備えるものである。
【００１２】
また、上記課題を解決するため、本発明に係る電力管理システムは、電力管理装置及び情報端末を備える電力管理システムであって、前記情報端末は、前記電力管理装置との間でデータを送受信する通信部と、前記電力管理装置の様々な設定条件に対応する複数の設定情報の各々に関連づけられた複数のコードのうちから、前記電力管理装置の現在の設定条件に適合するコードを取得する取得部と、前記取得部が取得したコードに関連付けられた設定情報を取得し、前記通信部を介して、当該設定情報を前記電力管理装置に送信する制御部とを備え、前記電力管理装置は、前記情報端末から受信した設定情報に基づいて当該電力管理装置の設定を行うものである。
【発明の効果】
【００１３】
本発明に係る電力管理装置の設定方法、情報端末及び電力管理システムによれば、電力管理装置の設定を簡略化することができる。
【図面の簡単な説明】
【００１４】
【図１】電力管理装置に各種機器が接続されている様子の一例を示す図である。
【図２】本発明の一実施形態に係る電力管理システムの概略構成を示す図である。
【図３】本発明の一実施形態に係る情報端末の概略構成を示す図である。
【図４】電力管理装置の設定条件の一例を示す図である。
【図５】電力管理装置の設定条件を図式化したシートの一例を示す図である。
【図６】本発明の一実施形態に係る情報端末のソフトウェア構成を示す図である。
【図７】本発明の一実施形態に係る電力管理システムの動作の一例を示すシーケンス図である。
【発明を実施するための形態】
【００１５】
最初に、図１を参照して、電力管理装置に各種機器が接続されている様子の一例を示す。図１に示す例においては、電力管理装置は、分電盤と接続している。また、電力管理装置は、分散電源として、太陽光発電（ＰＶ：Photovoltaics）のパワーコンディショナ、蓄電システム及び燃料電池と接続している。また、電力管理装置は、無線ＬＡＮ又は有線ＬＡＮを介してルータと接続している。電力管理装置は、ルータを介して、各種情報機器（ＰＣ、タブレット、スマートフォン、ＴＶなど）と接続しており、また、ルータからインターネットを介して各種サーバやモバイル端末などと接続している。また、電力管理装置は、ルータを介してスマートタップとも接続している。また、電力管理装置は、図１に示す例においては、電力関連の機器だけでなく、ガスメータ及び水道センサとも接続している。
【００１６】
図１に示す例のように、電力管理装置が、多種多様の機器と接続している場合、従来の方法で電力管理装置を正しく設定することは手間のかかる作業である。
【００１７】
以下、本発明に係る実施形態について、図面を参照して説明する。
【００１８】
図２は、本発明の一実施形態に係る電力管理システム１０の概略構成を示す図である。電力管理システム１０は、情報端末１００及び電力管理装置２００を備える。情報端末１００は、ＬＡＮ４００を介して電力管理装置２００と接続している。ＬＡＮ４００は、無線ＬＡＮであっても有線ＬＡＮであってもよい。また、情報端末１００は、インターネット５００を介して外部のサーバ３００にアクセスすることができる。
【００１９】
情報端末１００は、電力管理装置２００に、電力管理装置２００の現在の状態に適合した設定値を設定するための設定情報を送信する。情報端末１００の機能の詳細については後述する。
【００２０】
電力管理装置２００は、電力管理装置２００に接続されている機器の種類や台数、接続されている機器に必要な設定などの設定条件に適合するように設定することで、所望の動作を実行することができる。電力管理装置２００は、情報端末１００から現在の設定条件に適合する設定情報を受信し、情報端末１００から受信した設定情報に基づいて電力管理装置２００の設定を行う。
【００２１】
サーバ３００は、電力管理装置２００の様々な接続条件に対応する複数の設定情報を記憶している。
【００２２】
図３は、本発明の一実施形態に係る情報端末１００の概略構成を示す図である。情報端末１００は、通信部１１０、入力部１２０、取得部１３０、記憶部１４０及び制御部１５０を備える。
【００２３】
通信部１１０は、ＬＡＮ４００を介して電力管理装置２００とデータを送受信する。また、通信部１１０は、インターネット５００を介してサーバ３００とデータを送受信する。
【００２４】
入力部１２０は、情報端末１００のユーザから情報端末１００への入力を受け付ける。入力部１２０は、例えば、タッチパネル、キーボードなどである。
【００２５】
取得部１３０は、電力管理装置２００の様々な設定条件に対応する複数の設定情報の各々に関連づけられた複数のコードのうちから、電力管理装置２００の現在の設定条件に適合するコードを取得する。
【００２６】
図４は、電力管理装置２００の様々な設定条件の一例を示す図である。図４に示すように、電力管理装置２００には、設定すべき項目として、例えば、「ネットワーク」、「主幹」、「太陽光発電」、「蓄電システム」、「ガスメータ」、「水道センサ」、「センサ」、「分電盤種別」、「電力データ収集装置」、「スマートタップ」などがある。
【００２７】
図４には、設定条件の具体例として、Ｎｏ．１及びＮｏ．２が示されている。例えば、電力管理装置２００がＮｏ．１の設定条件に適合する状態である場合、電力管理装置２００には、太陽光発電、蓄電システム、ガスメータ、水道センサが接続されている。また、電力管理装置２００に接続されている分電盤は通常の分電盤である。また、電力管理装置２００には、ＩＰアドレスが、１９２．１６８．０．１９９の電力データ収集装置が接続されており、当該電力データ収集装置を介して、１００Ｖ用のスマートタップ１と２００Ｖ用のスマートタップ２が接続されている。
【００２８】
図５に、電力管理装置２００に想定される様々な設定条件（接続パターン）を図式化したシートが作成され、各シートに例えば２次元バーコードなどのコードが割り当てられている様子を示す。シートは、紙としてユーザに提供されてもよいし、データとしてユーザに提供され、ユーザが印刷できるようにしてもよい。なお、図５においては、シートに２次元バーコードが印刷されている例を示したが、２次元バーコードは一例であり、設定条件に一意に対応させることができるその他のコードであってよい。例えば、何らかのデータを画像化した画像情報であってもよい。図５に示すようなシートは、電力管理装置２００に想定される全ての設定条件について用意されていることが好ましい。
【００２９】
取得部１３０は、例えばカメラであり、ユーザが、電力管理装置２００の現在の設定条件に適合するシート上の２次元バーコードを撮影して２次元バーコードを読み取ることにより、現在の設定条件に適合するコードを取得する。２次元バーコードには、電力管理装置２００を設定するための設定情報が関連付けられている。また、取得部１３０は、例えばＮＦＣ（Near Field Communication）の受信部としての機能を有してもよい。この場合、ユーザが、電力管理装置２００の現在の設定条件に適合するシートに埋め込まれた小型のＮＦＣチップに情報端末１００をかざすことにより、取得部１３０は、ＮＦＣ通信によって、現在の設定条件に適合するコードを取得する。
【００３０】
記憶部１４０は、電力管理装置２００の様々な設定条件に対応する複数の設定情報を記憶している。なお、設定情報は、必ずしも記憶部１４０に記憶されている必要はなく、外部のサーバ３００に記憶されていてもよい。設定情報がサーバ３００に記憶されている場合、情報端末１００は、サーバ３００にアクセスして、サーバ３００から所望の設定情報を取得する。
【００３１】
制御部１５０は、情報端末１００全体を制御及び管理するものであり、例えばプロセッサにより構成することができる。
【００３２】
制御部１５０は、取得部１３０が、電力管理装置２００の現在の設定条件に適合する２次元バーコードを取得すると、当該２次元バーコードに関連付けられた設定情報を、記憶部１４０又はサーバ３００から取得する。２次元バーコードには、サーバ３００に記憶されている設定情報にアクセスするためのデータ（リンク先情報など）が含まれていてもよい。この場合、制御部１５０は、取得部１３０が２次元バーコードを取得すると、２次元バーコードに含まれているデータを用いてサーバ３００にアクセスし、取得部１３０が取得した２次元バーコードに関連付けられた設定情報を取得する。サーバ３００に記憶されている設定情報は、定期的に又は不定期に最新の状態に更新されている場合があるため、制御部１５０は、電力管理装置２００の設置時などだけでなく、定期的にサーバ３００にアクセスして最新の設定情報を取得するようにしてもよい。
【００３３】
制御部１５０は、電力管理装置２００の設定情報を取得すると、当該設定情報を電力管理装置２００に送信する。電力管理装置２００は、情報端末１００から受信した設定情報に基づいて電力管理装置２００の設定を行う。
【００３４】
図６に、本発明の一実施形態に係る情報端末１００のソフトウェア構成を示す。情報端末１００は、オペレーティングシステム上に、コード読み取りアプリケーションと、電力管理アプリケーションとを有する。制御部１５０に読み込まれたコード読み取りアプリケーションは、取得部１３０を制御してコードを読み取る。また、制御部１５０に読み込まれた電力管理アプリケーションは、記憶部１４０又はサーバ３００から電力管理装置２００の設定情報を取得し、当該設定情報を電力管理装置２００に送信する。
【００３５】
図７に示すシーケンス図を参照しながら、本発明の一実施形態に係る電力管理システム１０の動作の一例について説明する。なお、図７に示す例においては、情報端末１００が２次元バーコードなどのコードを読み取ることにより、電力管理装置２００の現在の設定条件に適合するコードを取得し、電力管理装置２００の設定情報がサーバ３００に記憶されている場合を例に挙げて説明する。
【００３６】
ユーザが、情報端末１００を用いて、電力管理装置２００の現在の設定条件に適合するシート上の２次元バーコードを撮影すると、取得部１３０は、２次元バーコードを読み取って取得する（Ｓ１０１）。
【００３７】
情報端末１００は、２次元バーコードに含まれるデータに基づいてサーバ３００へアクセスする（Ｓ１０２）。
【００３８】
サーバ３００は、２次元バーコードに関連付けられた設定情報を情報端末１００に送信する（Ｓ１０３）。
【００３９】
情報端末１００は、サーバ３００から、電力管理装置２００の設定情報を受信する（Ｓ１０４）。
【００４０】
情報端末１００は、受信した設定情報が、電力管理装置２００が読み込み可能な形式であるか否かを判定し、読み込み可能な形式でない場合は処理を終了する（Ｓ１０５）。
【００４１】
情報端末１００は、受信した設定情報が読み込み可能な形式であった場合、電力管理装置２００を設定書換モードへ移行させるために電力管理装置２００にアクセスする（Ｓ１０６）。
【００４２】
電力管理装置２００は、設定書換モードへ移行する（Ｓ１０７）。
【００４３】
情報端末１００は、電力管理装置２００に、サーバ３００から取得した設定情報を送信する（Ｓ１０８）。
【００４４】
電力管理装置２００は、情報端末１００から受信した設定情報が読み込み可能な形式であるか否かを判定する（Ｓ１０９）。
【００４５】
電力管理装置２００は、ステップＳ１０９でＮｏと判定した場合、設定情報を書き換えず、エラー情報を情報端末１００に送信する（Ｓ１１０）。
【００４６】
電力管理装置２００は、ステップＳ１０９でＹｅｓと判定した場合、当該設定情報に基づいて電力管理装置２００の設定情報を書き換える（Ｓ１１１）。
【００４７】
このように、本実施形態によれば、情報端末１００が、電力管理装置２００の様々な設定条件に対応する複数の設定情報の各々に関連づけられた複数のコードのうちから、電力管理装置２００の現在の設定条件に適合するコードを取得し、当該コードに関連付けられた設定情報を取得して電力管理装置２００に送信し、電力管理装置２００が、情報端末１００から受信した設定情報に基づいて当該電力管理装置２００を設定することにより、電力管理装置２００の設定を簡略化することができる。
【００４８】
また、本実施形態によれば、情報端末１００が、外部のサーバ３００から設定情報を取得することにより、サーバ３００に記憶されている最新の設定情報を取得することができる。
【００４９】
また、本実施形態によれば、情報端末１００が、カメラで画像情報を撮影してコードを取得することにより、電力管理装置２００の現在の設定条件に適合するコードを容易に取得することができる。
【００５０】
また、本実施形態によれば、情報端末１００が、定期的に外部のサーバ３００から設定情報を取得することにより、サーバ３００において更新されている最新の設定情報を取得することができる。
【００５１】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部、各ステップなどに含まれる機能などは論理的に矛盾しないように再配置可能であり、複数の構成部やステップなどを１つに組み合わせたり、或いは分割したりすることが可能である。また、本発明について装置を中心に説明してきたが、本発明は装置が備えるプロセッサにより実行される方法、プログラム、又はプログラムを記録した記憶媒体としても実現し得るものであり、本発明の範囲にはこれらも包含されるものと理解されたい。
【００５２】
また、本実施形態においては、情報端末１００の取得部１３０がシート上のコードを撮影することによりコードを取得する場合を例に挙げて説明したが、ユーザが入力部１２０にテキストによって構成されるコードを入力することによりコードを取得するようにしてもよい。または、情報端末１００は、他の情報機器からＮＦＣ（Near Field Communication）などの通信によりコードを取得してもよい。
【符号の説明】
【００５３】
１０  電力管理システム
１００  情報端末
１１０  通信部
１２０  入力部
１３０  取得部
１４０  記憶部
１５０  制御部
２００  電力管理装置
３００  サーバ
４００  ＬＡＮ
５００  インターネット
【図１】
2016010211.tif 000003
【図２】
2016010211.tif 000004
【図３】
2016010211.tif 000005
【図４】
2016010211.tif 000006
【図５】
2016010211.tif 000007
【図６】
2016010211.tif 000008
【図７】
2016010211.tif 000009